(57)【要約】【課題】電池ホルダーに保持されたコイン電池を、取り外し用の専用工具なしで容易に取り外すことができる電池ケースを提供する。【解決手段】スライドさせて挿入されたコイン電池を収容する電池ケースは、コイン電池を収容する開口を備え、収容されたコイン電池を保持する電池ケース本体部部と、前記電池ケース本体部の前記開口を閉じる蓋部と、を有し、前記蓋部は、前記開口を閉じる際に前記電池ケース本体部に嵌挿され、且つ前記電池ケース本体部に保持された前記コイン電池を取り出す際に前記コイン電池を挿入方向とは逆方向に押し出す爪部を備える。【選択図】図３
2019102328.tif 000002
【特許請求の範囲】
【請求項１】
スライドさせて挿入されたコイン電池を収容する電池ケースであって、
前記コイン電池を収容する開口を備え、収容された前記コイン電池を保持する電池ケース本体部と、
前記電池ケース本体部の前記開口を閉じる蓋部と、を有し、
前記蓋部は、前記開口を閉じる際に前記電池ケース本体部に嵌挿され、且つ前記電池ケース本体部に保持された前記コイン電池を取り出す際に前記コイン電池を挿入方向とは逆方向に押し出す爪部を備える、
電池ケース。
【請求項２】
前記電池ケース本体部は、前記爪部が嵌挿される係止孔を内側面に備え、
前記爪部は、前記蓋部の一側面に設けられ、
前記蓋部を前記開口に沿ってスライドさせ、前記爪部を前記係止孔に嵌挿して前記蓋部を前記電池ケース本体部に固定する
請求項１に記載の電池ケース。
【請求項３】
前記電池ケース本体部内において、前記爪部を差し込み可能な空隙が、前記内側面の前記係止孔に面して配置される、
請求項２に記載の電池ケース。
【請求項４】
前記電池ケース本体部内の前記空隙は、前記爪部を差し込み、前記保持された前記コイン電池を、取り外し可能位置まで前記挿入方向とは逆方向に押し出すことができる大きさを有する、
請求項３に記載の電池ケース。
【請求項５】
前記電池ケース本体部は、前記コイン電池を保持する一体形成された電池ホルダーを更に備え、
前記電池ホルダーは、前記コイン電池を挟持する第１挟持部及び第２挟持部を含む、
請求項１乃至４のいずれか１項に記載の電池ケース。
【請求項６】
前記開口が閉じた状態において、前記蓋部の側に位置する前記第１挟持部は、前記爪部を差し込み可能な切り欠き部を含む、
請求項５に記載の電池ケース。
【発明の詳細な説明】
【技術分野】
【０００１】
本発明は、電池取り外し機能付き電池ケースに関し、特に保持するコイン電池を取り出し位置まで押し出し可能な蓋部を備える電池ケースに関する。
【背景技術】
【０００２】
小型の各種電子機器の電源として、コイン電池、ボタン電池等の扁平型電池が用いられている。これらの電子機器は、電池を装填するために、電池を収容する電池ケースを備えている。通常、電池ケースには電池を保持する電池ホルダーが設置されており、電池の着脱のための開口が設けられている。また、電池の遊動、脱落あるいは外部からの衝撃等による破損を防止するために、開口部分をカバー（蓋部）により閉じる構造となっている。
【０００３】
一方、扁平型電池では、その薄い平坦な形状から、上下に配置された電気接点に対して側方に設けられる挿入口から、横方向にスライドさせて挿入及び取り出しを行う電池ホルダーが用いられる。この横スライド方式の電池ホルダーは電池の挿入は容易であるが、電池を保持するために、可撓性の突起部で電池を押圧する等の電池脱落防止機構を備えるため、取り出しにくい處がある。そのため、ホルダーに保持されている電池を、脱落防止機構から外して、挿入方向と逆方向にスライドさせるための仕組みが必要である。
【０００４】
例えば、特許文献１に代表されるような電池ホルダーは、電池を挿入する開口端面を備え、開口端面の反対側の側面部から開口端面に向かって電池の一部の部位まで伸びる切り欠きが形成されている。電池を挿入するときは、開口端面から電池を押し込み、取り外すときは、取り出し用の工具を用いて、切り欠き部から開口端面方向に電池を押し出す仕組みとなっている。
【先行技術文献】
【特許文献】
【０００５】
【特許文献１】特開２０１５−１７０５１７号公報
【発明の概要】
【発明が解決しようとする課題】
【０００６】
しかし、上記のような電池ホルダーでは、切り欠き部の構造に合致させたホルダーごとに専用の工具が必要である。特に、電池ホルダーが電池ケースあるいは電子機器に固定されている場合は、電池ホルダーの周囲に配置されている電子部品の形状や位置関係により電池の取り外すためのスペースが限定される。そのため、電池ホルダー構造に合致させた専用工具であっても、電池ケースや電子機器によっては使用できないことがある。そのときは、それぞれの電池ケースや電子機器に適合させた専用工具が必要となり、その分更なるコスト増となる。また、専用工具を、電池ホルダーを設置した電子機器と共に保持し管理する必要があり煩雑である。
【０００７】
本発明は、このような状況を鑑みてなされたものであり、その目的とするところは、電池ホルダーに保持されたコイン電池を、取り外し用の専用工具なしで容易に取り外すことができる電池ケースを提供することにある。
【課題を解決するための手段】
【０００８】
本発明の第１の態様である電池ケースは、スライドさせて挿入されたコイン電池を収容する電池ケースであって、前記コイン電池を収容する開口を備え、収容された前記コイン電池を保持する電池ケース本体部と、前記電池ケース本体部の前記開口を閉じる蓋部と、を有し、前記蓋部は、前記開口を閉じる際に前記電池ケース本体部に嵌挿され、且つ前記電池ケース本体部に保持された前記コイン電池を取り出す際に前記コイン電池を挿入方向とは逆方向に押し出す爪部を備える。
【０００９】
本発明の第２の態様によれば、上記第１の態様において、前記電池ケース本体部は、前記爪部が嵌挿される係止孔を内側面に備え、前記爪部は、前記蓋部の一側面に設けられ、前記蓋部を前記開口に沿ってスライドさせ、前記爪部を前記係止孔に嵌挿して前記蓋部を前記電池ケース本体部に固定する。
【００１０】
本発明の第３の態様によれば、上記第２の態様において、前記電池ケース本体部内において、前記爪部を差し込み可能な空隙が、前記内側面の前記係止孔に面して配置される。
【００１１】
本発明の第４の態様によれば、上記第３の態様において、前記電池ケース本体部内の前記空隙は、前記爪部を差し込み、前記保持された前記コイン電池を、取り外し可能位置まで前記挿入方向とは逆方向に押し出すことができる大きさを有する。
【００１２】
本発明の第５の態様によれば、上記第１乃至４のいずれか一つの態様において、前記電池ケース本体部は、前記コイン電池を保持する一体形成された電池ホルダーを更に備え、前記電池ホルダーは、前記コイン電池を挟持する第１挟持部及び第２挟持部を含む。
【００１３】
本発明の第６の態様によれば、上記第５の態様において、前記開口が閉じた状態において、前記蓋部の側に位置する前記第１挟持部は、前記爪部を差し込み可能な切り欠き部を含む。
【発明の効果】
【００１４】
本発明によれば、電池ケース本体部の電池を収容するための開口を、蓋部により閉じて、その蓋部に設置された爪部で電池ケース本体部に固定することにより、コイン電池の遊動及び脱落、並びに外部からの衝撃等による破損を防止することができる。さらに、電池ケース本体部から分離した蓋部の爪部を、電池ケース本体部に設けられた空隙に差し込んで、コイン電池を挿入方向の逆方向に押し出すことにより、専用工具なしで容易に取り出すことができる。
【００１５】
このように、電池の遊動及び脱落による動作不良、並びに外部からの衝撃等による破損を回避しながら、且つ電池の交換が容易な電池ケースを低コストで実現するという特有の効果を奏することができる。
【図面の簡単な説明】
【００１６】
【図１】本発明の実施例に係る電池ケースの蓋部の斜視図である。
【図２】本発明の実施例に係る電池ケースの蓋部で開口を閉じた状態の斜視図である。
【図３】本発明の実施例に係る電池ケースの蓋部により電池を取り出す状態の斜視図である。
【図４】本発明の実施例に係る電池ケースの平面図である。
【図５】本発明の実施例に係る電池ケースの図４に示す線分Ａ−Ａ’の断面図である。
【図６】本発明の実施例に係る電池ケースの図４に示す線分Ｂ−Ｂ’の断面図である。
【図７】（Ａ）〜（Ｄ）本発明の実施例に係る電池ケースの図４に示す線分Ａ−Ａ’の断面図における、電池の電池ホルダーへの設置手順を示す。
【図８】（Ａ）〜（Ｄ）本発明の実施例に係る電池ケースの図４に示す線分Ａ−Ａ’の断面図における、蓋部による電池の取り外し手順を示す。
【図９】本発明の変形例の電池ケースの平面図である。
【発明を実施するための形態】
【００１７】
以下、本発明の実施例について図面を参照しながら説明する。
【００１８】
＜実施例＞
図１〜図３に、本発明の実施例に係る電池ケース１の斜視図を示す。本発明の実施例に係る発明の電池ケース１は、電池ケース本体部２と蓋部１０から構成される。電池ケース本体部２には、コイン電池を収容するための開口６が設けられ、蓋部１０により、開口６を閉じることができるように構成されている。
【００１９】
蓋部１０は、その一側面から側方に突出した２つの爪部１１を備える（図１）。蓋部１０は、爪部１１が電池ケース本体部２に設置された係止孔（図示省略）に嵌挿されることにより、開口６を閉じると共に電池ケース本体部２に固定される（図２）。
【００２０】
一方、電池を取り出すときは、図３に示すように蓋部１０を電池ケース本体部２から外して、その爪部１１を電池ケース本体部の係止孔に面して設けられた空隙に差し込み、コイン電池３０を挿入口２３の方向へ押し出して取り出すことができる。このように、爪部１１は蓋部１０を固定するだけではなく、コイン電池３０を取り出すために押し出す機能も備えている。よって、爪部１１は、それぞれの機能を実現するために必要な機械的強度を満たすように形成される。
【００２１】
図４は本発明の実施例の平面図である。図５及び図６には、図４に示した線分Ａ−Ａ‘及び線分Ｂ−Ｂ’における断面図をそれぞれ示した。
【００２２】
図５に示す電池ケース本体部２は、電池ケース本体部２と一体形成され、第１挟持部２１及び第２挟持部２２を含む電池ホルダー２０が設置されている。ここで、電池ケース本体部２に固定されているのは第２挟持部２２である。電池ホルダー２０は、第１挟持部２１及び第２挟持部２２でコイン電池３０ａを挟持する。なお、第１挟持部２１及び第２挟持部２２のいずれか一方あるいは両方に、コイン電池３０を押圧して保持可能な可撓性の突起部を設けてもよい。
【００２３】
また、保持されたコイン電池３０を保護するために蓋部１０により電池ケース本体部２の開口６の全体を閉じることができる。図６に示すように、蓋部１０の一側面から側方に突出した爪部１１を、電池ケース本体部２の内側面に設けられた係止孔３に嵌挿して蓋部１０を電池ケース本体部２に固定する。
【００２４】
一方、図４に示すように、電池ケース本体部２の内側面４には、蓋部１０の一側面が内側面４に対向して固定されるときに、爪部１１の位置と合致する位置に係止孔３が配置されている。なお、２つの爪部１１は蓋部１０の一側面の中心に対して互いに対称となる位置に形成されている。従って、蓋部１０の一側面が内側面４の幅と合致するようにして、内側面４に沿って爪部１１を電池ケース本体部２の開口６の内部の差し込むと、爪部１１は係止孔３に面した位置にくる。このとき、コイン電池３０が保持された状態にあっても爪部１１を差し込むことに支障が無いように、内側面４とコイン電池３０との間に、爪部１１を挿入できる空隙５が確保されている。
【００２５】
加えて、電池ホルダー２０の第１挟持部２１は、係止孔３に面する近傍に配置された空隙５を塞がないための切り欠き２４ａを含む。この、切り欠き２４ａは、空隙５に挿入された爪部１１が、コイン電池３０を取り出し可能位置まで押し出せるように、コイン電池３０の一部を露出させている。
【００２６】
次に、このような構造の電池ケース１における、コイン電池３０の着脱の手順を図７（Ａ）〜（Ｄ）及び図８（Ａ）〜（Ｄ）を引用して説明する。これらはいずれも図４の示された線分Ｂ−Ｂ‘部分の断面図である。
【００２７】
図７（Ａ）は、蓋部１０が外され、開口６が開放されている電池ケース本体部２である。図中の符号２４ｂは、第１挟持部２１の切り欠き部の側面を示す。コイン電池３０は電池ホルダー２０の側方の挿入口２３から挿入され、挿入方向にスライドさせながら押し込み、図７（Ｂ）に示す保持位置まで挿入する。
【００２８】
次に、図７（Ｃ）に示ように、蓋部１０を電池ケース本体部２の側方から開口６に沿ってスライドさせ、爪部１１を係止孔３に嵌挿し固定する。これにより電池ケース本体部２の開口６は閉じられ、図７（Ｄ）に示ように、コイン電池３０が電池ケース１内に収容された状態となる。
【００２９】
図８（Ａ）は図７（Ｄ）と同じ図面で、コイン電池３０が電池ケース１内に収容された状態である。ここで、蓋部１０の爪部１１を、電池ケース本体部２の係止孔３から外し、図８（Ｂ）に示すとおり、蓋部１０を挿入方向と逆方向にスライドさせて電池ケース本体部２から分離する。
【００３０】
分離した蓋部１０の２つの爪部１１を、電池ケース本体部２の内側面４及びコイン電池３０の側面３０ｂに囲まれた空隙５に差し込む。このとき、第１挟持部２１は、十分な大きさの切り欠き２４ｂを設けたことにより爪部１１を差し込む際の障害とはならない。そして図８（Ｃ）に示ように蓋部１０を倒しこんで、コイン電池３０を挿入方向と逆方向に押し出す。仮に、取り出し可能位置までコイン電池３０が到達しないときは、蓋部１０を更に押してコイン電池３０を追加移動させてもよい（図８（Ｄ））。
【００３１】
上述したように、電池ケース本体部２のコイン電池３０を収容するための開口６を、蓋部１０により閉じて、その蓋部１０に設置された爪部１１で電池ケース本体部２に固定することにより、コイン電池３０の遊動及び脱落、並びに外部からの衝撃等による破損を防止することができる。さらに、電池ケース本体部２から分離した蓋部１０の爪部１１を、電池ケース本体部２に設けられた空隙５に差し込んで、コイン電池３０を挿入方向の逆方向に押し出すことにより、専用工具なしで容易に取り出すことができる。
【００３２】
このように、電池の遊動及び脱落による動作不良、並びに外からの衝撃等による破損に対する耐性が強く、且つ電池の交換が容易な電池ケースを低コストで実現するという特有の効果を奏することができる。
【００３３】
＜変形例＞
上記実施例においては、蓋部１０が２つの爪部１１を有し、電池ケース本体部２には係止孔３が２か所に設置されているが、爪部１１の数は２つに限定するものでは無く、蓋部の大きさ（幅）によって爪部１１の数は異なる場合がある。このような場合を変形例として説明する。
【００３４】
図９は、爪部１１が１つのときの電池ケース本体部の平面図である。係止孔３は内側面の中央近傍に設置され、蓋部１０の一側面には、この係止孔３に対応する位置に爪部１１が形成されている。空隙５及び第１挟持部２１の切り欠き２４ａも、それぞれ係止孔３に面した近傍に設置されている。
【００３５】
この変形例は、電池のサイズが小さく、蓋部１０の幅が狭い場合に適している。そして、変形例においても、電池の遊動及び脱落による動作不良、並びに外部からの衝撃等による破損を回避しながら、且つ電池の交換が容易な電池ケースを低コストで実現するという特有の効果を奏することができる。
【符号の説明】
【００３６】
１    電池ケース
２    電池ケース本体部
３    係止孔
４    内側面
５    空隙
６    開口
１０    蓋部
１１    爪部
２０    電池ホルダー
２１    第１挟持部
２２    第２挟持部
２３    挿入口
２４ａ  切り欠き（領域）
２４ｂ  切り欠き（第１挟持部２１の側面）
３０    コイン電池
３０ａ  コイン電池（断面）
３０ｂ  コイン電池（側面）
【図１】
2019102328.tif 000003
【図２】
2019102328.tif 000004
【図３】
2019102328.tif 000005
【図４】
2019102328.tif 000006
【図５】
2019102328.tif 000007
【図６】
2019102328.tif 000008
【図７】
2019102328.tif 000009
【図８】
2019102328.tif 000010
【図９】
2019102328.tif 000011